(57)【要約】      （修正有）【課題】基板によって熱せられた空気を記録媒体の乾燥に用いないものと比較して、記録媒体を速く乾燥させることができる画像形成装置及び乾燥装置を提供する。【解決手段】画像形成装置は、記録媒体に液滴を吐出する吐出ヘッドと、電子素子１５２が装着されている基板１５０と、吐出ヘッドが吐出したインクが付着した連続紙Ｐに空気流を案内する案内ダクト１６０とを有し、案内ダクト１６０は、基板１５０によって加熱された空気を取り込む取込口１６４が形成されている。【選択図】図２
2019051647.tif 000002
【特許請求の範囲】
【請求項１】
記録媒体に液滴を吐出する吐出部と、
電子素子が装着されている基板と、
前記吐出部が吐出した液滴が付着した記録媒体に空気流を案内する案内部と、
を有し、
前記案内部は、前記基板によって加熱された空気を取り込む取込口が形成されている画像形成装置。
【請求項２】
前記基板により駆動され、記録媒体に光を照射し、記録媒体に付着した水分を蒸発させる照射部をさらに有する請求項１記載の乾燥装置。
【請求項３】
記録媒体に液滴を吐出する吐出部と、
記録媒体に光を照射し、前記吐出部が吐出し、記録媒体に付着した液滴の水分を蒸発させる照射部と、
前記照射部を駆動し、電子素子が装着されている基板と、
記録媒体と前記照射部との間に空気流を案内する案内部と、
を有し、
前記案内部は、前記基板によって熱せられた空気を取り込む取込口が形成されている画像形成装置。
【請求項４】
前記案内部は、記録媒体と水平な方向に空気を吹き出す請求項３記載の画像形成装置。
【請求項５】
前記案内部は、記録媒体の液滴が付着した側の面に向けて空気を吹き出す請求項３記載の画像形成装置。
【請求項６】
記録媒体の搬送方向において前記照射部に対して前記案内部と逆側に配置されていて、前記案内部が記録媒体に案内した空気を回収する回収部をさらに有する請求項２から５いずれか記載の画像形成装置。
【請求項７】
前記照射部を冷却する冷却装置をさらに有し、
前記取込口は、空気の移動方向において、前記冷却装置よりも上流側に配置されている請求項１から６いずれか記載の画像形成装置。
【請求項８】
前記照射部を冷却する冷却装置をさらに有し、
前記案内部は、当該案内部の内部と前記冷却装置側の空間と区切る壁部を有する請求項１から６いずれか記載の画像形成装置。
【請求項９】
電子素子が装着されている基板と、
水分が付着した被乾燥体に空気流を案内する案内部と、
を有し、
前記案内部は、前記基板によって加熱された空気を取り込む取込口が形成されている乾燥装置。
【請求項１０】
被乾燥体に光を照射し、被乾燥体に付着した水分を蒸発させる照射部と、
前記照射部を駆動し、電子素子が装着されている基板と、
前記被乾燥体と前記照射部との間に空気流を案内する案内部と、
を有し、
前記案内部は、前記基板によって熱せられた空気を取り込む取込口が形成されている乾燥装置。
【発明の詳細な説明】
【技術分野】
【０００１】
本発明は、画像形成装置及び乾燥装置に関する。
【背景技術】
【０００２】
特許文献１には、記録ヘッドから液滴を吐出することで画像が記録可能な記録媒体の搬送路に対峙され、前記記録媒体上の液滴に含まれる水分を蒸発させる熱源となるレーザ光を照射する照射部と、予め定めた透過率で前記レーザ光を透過すると共に、前記蒸発した水分が前記照射部へ至ることを制限する制限部材と、前記制限部材を加熱して、当該制限部材への結露を防止する結露防止手段と、を有する乾燥装置が記載されている。
【先行技術文献】
【特許文献】
【０００３】
【特許文献１】特開２０１５−１４７３４７号公報
【発明の概要】
【発明が解決しようとする課題】
【０００４】
液滴が付着した記録媒体に空気流を案内し、空気流を用いて記録媒体を乾燥させる場合に、記録媒体を速く乾燥させるためには、記録媒体に案内される空気が熱せられていることが望ましい。
【０００５】
本発明は、基板によって熱せられた空気を記録媒体の乾燥に用いないものと比較して、記録媒体を速く乾燥させることができる画像形成装置及び乾燥装置を提供することを目的とする。
【課題を解決するための手段】
【０００６】
請求項１に係る本発明は、
記録媒体に液滴を吐出する吐出部と、
電子素子が装着されている基板と、
前記吐出部が吐出した液滴が付着した記録媒体に空気流を案内する案内部と、
を有し、
前記案内部は、前記基板によって加熱された空気を取り込む取込口が形成されている画像形成装置である。
【０００７】
請求項２に係る本発明は、前記基板により駆動され、記録媒体に光を照射し、記録媒体に付着した水分を蒸発させる照射部をさらに有する請求項１記載の乾燥装置である。
【０００８】
請求項３に係る本発明は、
記録媒体に液滴を吐出する吐出部と、
記録媒体に光を照射し、前記吐出部が吐出し、記録媒体に付着した液滴の水分を蒸発させる照射部と、
前記照射部を駆動し、電子素子が装着されている基板と、
記録媒体と前記照射部との間に空気流を案内する案内部と、
を有し、
前記案内部は、前記基板によって熱せられた空気を取り込む取込口が形成されている画像形成装置である。
【０００９】
請求項４に係る本発明は、前記案内部は、記録媒体と水平な方向に空気を吹き出す請求項３記載の画像形成装置である。
【００１０】
請求項５に係る本発明は、前記案内部は、記録媒体の液滴が付着した側の面に向けて空気を吹き出す請求項３記載の画像形成装置である。
【００１１】
請求項６に係る本発明は、記録媒体の搬送方向において前記照射部に対して前記案内部と逆側に配置されていて、前記案内部が記録媒体に案内した空気を回収する回収部をさらに有する請求項２から５いずれか記載の画像形成装置である。
【００１２】
請求項７に係る本発明は、
前記照射部を冷却する冷却装置をさらに有し、
前記取込口は、空気の移動方向において、前記冷却装置よりも上流側に配置されている請求項１から６いずれか記載の画像形成装置である。
【００１３】
請求項８に係る本発明は、
前記照射部を冷却する冷却装置をさらに有し、
前記案内部は、当該案内部の内部と前記冷却装置側の空間と区切る壁部を有する請求項１から６いずれか記載の画像形成装置である。
【００１４】
請求項９に係る本発明は、
電子素子が装着されている基板と、
水分が付着した被乾燥体に空気流を案内する案内部と、
を有し、
前記案内部は、前記基板によって加熱された空気を取り込む取込口が形成されている乾燥装置である。
【００１５】
請求項１０に係る本発明は、
被乾燥体に光を照射し、被乾燥体に付着した水分を蒸発させる照射部と、
前記照射部を駆動し、電子素子が装着されている基板と、
前記被乾燥体と前記照射部との間に空気流を案内する案内部と、
を有し、
前記案内部は、前記基板によって熱せられた空気を取り込む取込口が形成されている乾燥装置である。
【発明の効果】
【００１６】
請求項１に係る本発明によれば、基板によって熱せられた空気を記録媒体の乾燥に用いない場合と比較して、記録媒体を速く乾燥させることができる画像形成装置を提供することができる。
【００１７】
請求項２に係る本発明によれば、照射部を有しない場合と比較して、記録媒体を速く乾燥させることができる。
【００１８】
請求項３に係る本発明によれば、基板によって熱せられた空気を記録媒体の乾燥に用いないものと比較して、記録媒体を速く乾燥させることができる画像形成装置を提供することができる。
【００１９】
請求項４に係る本発明によれば、記録媒体の液滴が付着した面に向けて吹き付けるように空気を吹き出す場合と比較して、気流による記録媒体の搬送の乱れが生じにくい。
【００２０】
請求項５に係る本発明によれば、記録媒体と水平な方向に気流を発生させる場合と比較して、記録媒体を速く乾燥させることができる。
【００２１】
請求項６に係る本発明によれば、回収部を有しない場合と比較して、画像形成装置本体内への高湿な空気の拡散を抑制することができる。
【００２２】
請求項７に係る本発明によれば、取込口が、空気の移動方向において冷却装置よりも下流側に配置されている場合と比較して、高温の空気を記録媒体に案内することができる。
【００２３】
請求項８に係る本発明によれば、案内部の内部と冷却装置側の空間と区切る壁部を有しない場合と比較して、高温の空気を記録媒体に案内することができる。
【００２４】
請求項９に係る本発明によれば、基板によって熱せられた空気を記録媒体の乾燥に用いない場合と比較して、記録媒体を速く乾燥させることができる乾燥装置を提供することができる。
【００２５】
請求項１０に係る本発明によれば、基板によって熱せられた空気を記録媒体の乾燥に用いない場合と比較して、記録媒体を速く乾燥させることができる乾燥装置を提供することができる。
【図面の簡単な説明】
【００２６】
【図１】本発明の実施形態で用いられる画像形成装置の概略構成を示す図である。
【図２】図１に示す画像形成装置が有する乾燥装置を示す図である。
【図３】図１に示す画像形成装置が有する案内ダクトを示す図である。
【図４】図１に示す画像形成装置が有する案内ダクトの変形例を示す図である。
【発明を実施するための形態】
【００２７】
以下、本発明の実施形態について図面を参照して詳細に説明する。図１には、本発明の実施形態である画像形成装置１０が示されている。画像形成装置１０は、画像形成装置本体１２を有し、画像形成装置本体１２内に、記録媒体の一例である連続紙Ｐを搬送する搬送機構３０が設けられている。
【００２８】
搬送機構３０は、使用前の連続紙を回転可能に支持する支持部材３２と、画像が形成された連続紙を巻き取る巻取機構３４とを有し、記録媒体の支持部材３２から送り出された部分を支持する支持ロール４２、４４、４６、４８をさらに有する。
【００２９】
画像形成装置本体１２内には、吐出ヘッド５０Ｙ、５０Ｍ、５０Ｃ、５０Ｋがさらに配置されている。吐出ヘッド５０Ｙ、５０Ｍ、５０Ｃ、５０Ｋは、それぞれが液滴を吐出する吐出部として用いられていて、イエローのインク、マゼンタのインク、シアンのインク、黒のインクをそれぞれに吐出し、連続紙Ｐに画像を形成する。
【００３０】
吐出ヘッド５０Ｙ、５０Ｍ、５０Ｃ、５０Ｋは、例えば、支持ロール４２と支持ロール４４との間の位置のように、連続紙Ｐが水平に搬送される位置に画像を形成するように配置されている。
【００３１】
画像形成装置本体１２内には、乾燥装置１００がさらに配置されている。乾燥装置１００は、吐出ヘッド５０Ｙ、５０Ｍ、５０Ｃ、５０Ｋからインクが吐出され、湿った状態となった連続紙Ｐを乾燥させる。乾燥装置１００の詳細は後述する。
【００３２】
画像形成装置本体１２内には、補助乾燥装置８００がさらに配置されている。補助乾燥装置８００は、乾燥装置１００によって乾燥された連続紙Ｐをさらに乾燥させる装置であり、摺動乾燥部材８１０と、摺動乾燥部材８１０に連続紙Ｐ巻き付けるための巻付ロール８２０とを有する。
【００３３】
摺動乾燥部材８１０は、例えば円筒形状であって、内部に熱源８１２を有し、その外周部を摺動するように移動する連続紙Ｐを加熱することで連続紙Ｐを乾燥させる。
【００３４】
図２には、乾燥装置１００が示されている。図２に示すように、乾燥装置１００は、照射装置１１０を有する。照射装置１１０は、照射部の一例であって、後述する基板１４０、基板１５０によって駆動され、連続紙Ｐに光を照射し、連続紙Ｐに付着した液滴、すなわちインクの水分を蒸発させる。照射装置１１０としては、例えば、ＶＣＳＥＬ（Vertical Cavity Surface Emitting LASER、垂直共振器面発光レーザ）ユニットを用いることができる。照射装置１１０の照射面１１２は、例えばガラス等の光を透過する材質からなる板状部材１２０が装着されている。
【００３５】
照射装置１１０には、照射装置１１０を駆動するための、例えば２つの基板１４０、基板１５０が装着されている。基板１４０と基板１５０とには、電子素子１４２と電子素子１５２とがそれぞれに装着されている。このため、電子素子１４２、電子素子１４２が発する熱によって、基板１４０近傍の空気と基板１５０近傍の空気とが、それぞれに熱せられる。
【００３６】
照射装置１１０の照射面１１２と逆側の面１１４には、照射装置１１０を冷却する冷却装置１３０が装着されている。冷却装置１３０としては、例えば水冷ジャケットを用いることができる。
【００３７】
照射装置１１０によって連続紙Ｐに向けて光が照射されると、連続紙Ｐに付着したインクが加熱され、インク中の水分が蒸発し連続紙Ｐが乾燥する。
【００３８】
乾燥装置１００は、ファン装置１９０をさらに有する。ファン装置１９０は送風装置の一例であって、冷却装置１３０とは逆側から基板１５０に向けて風を発生させ、空気を送り出す。ここで、ファン装置１９０が発生される風の向きは、基板１５０と例えば水平となっている。ファン装置１９０によって送り出された空気は、基板１５０によって、すなわち電子素子１５２発する熱によって加熱される。
【００３９】
乾燥装置１００は、案内ダクト１６０をさらに有する。案内ダクト１６０は、案内部の一例であって、吐出ヘッド５０Ｙ、５０Ｍ、５０Ｃ、５０Ｋが吐出したインクが付着した連続紙Ｐに、ファン装置１９０が発生させた空気流を案内する。案内ダクト１６０は、例えば、連続紙Ｐの搬送方向において照射装置１１０よりも下流側に配置されている。案内ダクト１６０の一端部には、空気を排出するは排出口１６２が形成されている。排出口１６２は、連続紙Ｐに、例えば連続紙Ｐと水平な方向に空気を吹き出す向きに形成されている。
【００４０】
また、案内ダクト１６０には、例えば複数の（図３を参照）取込口１６４が形成されている。取込口１６４は、基板１５０によって加熱された空気を案内ダクト１６０内に取り込むように形成されている。また、取込口１６４は、空気の移動方向において、冷却装置１３０よりも上流側に配置されている（図２において、冷却装置１３０よりも右側に配置されている）。
【００４１】
また、案内ダクト１６０は、壁部１６６を有する。図２に示すように、壁部１６６は、案内ダクト１６０の内部と冷却装置１３０側の空間とを仕切っている。
【００４２】
以上のように構成された案内ダクト１６０は、ファン装置１９０によって送り出され、基板１５０によって熱せられた空気を取込口１６４から取り込み、熱せられた空気を排出口１６２から連続紙Ｐに向けて排出し、連続紙Ｐに向けて案内する。
【００４３】
乾燥装置１００は、回収ダクト１７０をさらに有する。回収ダクト１７０は、回収部の一例であって、連続紙Ｐの搬送方向において照射装置１１０に対して案内ダクト１６０と逆側に配置されている。すなわち、回収ダクト１７０は、連続紙Ｐの搬送方向において、照射装置１１０よりも上流側に配置されている。また、回収ダクト１７０は、案内ダクト１６０が連続紙Ｐに向けて案内した空気を回収する。回収ダクト１７０の一端部には、空気を吸入する吸入口１７２が形成されている。
【００４４】
回収ダクト１７０の他端部には、回収ダクト１７０内の空気を排出するためのファン装置１７４が装着されている。
【００４５】
画像形成装置１０は、押さえ部材５４をさらに有する。押さえ部材５４は、例えばローラ形状であって、連続紙Ｐに対して乾燥装置１００と逆側の位置であって、連続紙Ｐに対して排出口１６２と逆側の位置に連続紙Ｐに接触するように配置されている。押さえ部材５４は、連続紙Ｐを乾燥装置１００とは逆側の面から押さえて、案内ダクト１６０が空気を排出することにより気流による連続紙Ｐの移動を抑制している。
【００４６】
図３には、案内ダクト１６０が示されている。図３に示すように、案内ダクト１６０には、先述の排出口１６２と、先述の取込口１６４が形成されている。また、案内ダクト１６０は、先述の壁部１６６を有する。
【００４７】
図４には、案内ダクト１６０の変形例が示されている。先述の案内ダクト１６０は、連続紙Ｐと水平な方向に空気を送り出す向きに排出口１６２が形成されていた。これに対して、この変形例では、案内ダクト１６０には、連続紙Ｐに向けて吹き出す向きに排出口１６２が形成されている。
【符号の説明】
【００４８】
１０・・・画像形成装置
５０Ｙ、５０Ｍ、５０Ｃ、５０Ｋ・・・吐出ヘッド
１００・・・乾燥装置
１１０・・・照射装置
１３０・・・冷却装置
１５０・・・基板
１５２・・・電子素子
１６０・・・案内ダクト
１６２・・・排出口
１６４・・・取込口
１６６・・・壁部
１７０・・・回収ダクト
１９０・・・ファン装置
【図１】
2019051647.tif 000003
【図２】
2019051647.tif 000004
【図３】
2019051647.tif 000005
【図４】
2019051647.tif 000006